(57)【要約】      （修正有）【課題】器具を用いて開錠できる開錠用器具を提供する。【解決手段】遊技機用の出玉設定に関する確率変更回路基板を覆うケーシングに、外部からみだりに触れさせないようにキー１０が挿入されたままのシリンダー錠１２を、遊戯店店員が、外部から前記キーを回転させるための持ち手を結合して開錠する。【選択図】図３
0003224294.tif 000002
【実用新案登録請求の範囲】
【請求項１】
遊技機用の出玉設定に関する確率変更回路基板を覆うケーシングに、外部からみだりに触れさせないようにキーが挿入されたままのシリンダー錠を、遊戯店係員が、外部から前記キーを回転させるための本考案の持ち手を結合して開錠し、当該設定変更を可能にするための開錠用器具
【請求項２】
本考案が利用するシリンダー錠は公知のものであるが、あらかじめ対応するキーを挿入させておいて、キー穴を外部から塞ぐように、鉄またはニッケル及びそれらの合金製の長丸もしくは楕円の板または多角形板の蓋をキーの後端に固定加工して、不正防御を施したキーを用いることを特徴とする
【請求項３】
前記キーを回転させて開錠するために、前記蓋状の長丸もしくは楕円または多角形板の外周に嵌合する長丸もしくは楕円または多角形の内断面を有する持ち手とすることを特徴とする請求項１の開錠用器具
【請求項４】
前記持ち手を使用して長丸もしくは楕円または多角形板状蓋を後端に備えたキーを回して開錠または施錠をおこなうとき、これらをより完全に結合させるために持ち手側に磁石を内装しておくが、その磁力および粘着力が、係員が手を放しても、持ち手を水平または垂下状態で落下しない程度に保ち、かつ、シリンダー錠の軸方向に引けば、シリンダー錠からキーを引き抜ける程度の吸着力を発揮し、かつ不要の際は容易にひねることでキー部と持ち手を離脱させられるような公知の磁石または公知の粘着材を併用することを特徴とする請求項１および請求項３の開錠用器具
【請求項５】
設定変更を実施する遊戯店店員が本考案の開錠用器具を携帯する際、管理者が、その器具の所在を中央管理室で把握できるように通信機能を有した公知のＩＣタグを前記開錠用器具に埋設してなる請求項１ないし請求項４の開錠用器具
【考案の詳細な説明】
【技術分野】
【０００１】  本考案は、遊技台（パチンコ、スロット）のへの不正開錠を防止するために、既存のシリンダー錠かぎ穴に、それに合致するキーを差し込んで閉ざしたまま、本考案の器具を用いて開錠できる開錠用器具に関するものである。
【背景技術】
【０００２】  遊技業界（パチンコ、スロット業界）では、係員が店舗内の各遊技台を巡回して出玉管理やメンテナンスをしているが、客の中には遊技業界の内情に通じて不正を働く者もいる。【０００３】  不正行為者は、メンテナンス用ボックスの施錠を巧みに開錠し、自分に有利な出玉確率に変更するなどして、店舗に莫大な損害を与えることを組織的におこない、対する店舗側の犯罪防止策とのいたちごっこに陥っている。【０００４】  また、遊技業店舗の係員は遊技台の巡回業務において、遊技台の数に相当する膨大なカギの束を携行して業務に当たらねばならず、これを解決するために情報技術を駆使して電子制御鍵のシステムも考案されているものの、装置する手間とコストアップにつながって、なかなか普及しない。そこで本考案者も解決すべく、シリンダー錠に改変を加えずにキーの持ち手を改良することで解決を見たが、キー側と持ち手の着脱機構が複雑なため、実現に至らなかった（特許文献１〜３、実案文献１、２参照）。
【先行技術文献】
【０００５】
【特許文献１】特開２００３−１９０５５６
【０００６】
【特許文献２】特開２００３−０１９３３０
【０００７】
【特許文献３】特開２００２−０５８８４７
【０００８】
【実用新案文献１】
実案登録３１２５８５６
【０００９】
【実用新案文献２】
実案登録３２２１３２８
【考案の概要】
【考案が解決しようとする課題】
【００１０】  遊技店では係員が各遊技台の巡回業務において出玉確率の設定変更等をおこなうにあたり、設定回路基板のボックスを開錠するために遊技台の数だけキーを携行しているが、その数たるや膨大であり、目的のキーを探し出すのに時間がかかり、さらにキー束が重くなりすぎるなどの不都合が以前から指摘されてきた。【００１１】  この状況を解決する一つの手段としてキーの一本化ができればよいが、そうすると容易に不正がおこなわれやすくなるという防犯上の不都合も起こりやすくなる。また、常用される設定回路基板を収納しているボックスの施錠方式が、公知のキーを差し込むタイプであり、不正開錠がなされやすい形状になっている。
【課題を解決するための手段】
【００１２】  考案者はキーの一本化と防犯上の問題を合わせて解決すべく、鋭意検討した結果、ボックス側のシリンダー錠のキー穴に改変を加えずに、従来のキーの後端を切断して、鉄またはニッケルもしくはそれらの合金製の長丸（楕円含む）板もしくは多角形板（以下長丸板等という）を公知の方法で強固に接合し、キーが前記長丸板等の中心から垂直に立つように固定する。なお、前記キーの切断位置は、キーに長丸板等を固定した状態でシリンダー錠に差し込んだときに、長丸板等とボックス面に隙間ができない程度にしなければならない。この長丸板等が、前記キーをキー穴に差し込んだ時に、ちょうどキー穴を塞ぐ蓋になり、通常はこのようにキーを差し込んだ状態で使用される。この場合、前記長丸板等の厚みの部分だけボックス面から突出するが、不正行為者が長丸板等をつまんで取り出せないように、長丸板等の周を面取り加工しておくことが好ましい。【００１３】  一方で業務上許可された係員が、前記キーを外部から回して開錠する器具が必要であることはいうまでもなく、そこが本考案の核心でもあり、そのために考案者は、長丸板等に嵌り合う長丸（楕円含む）もしくは多角形の内断面を有する持ち手を利用する方法がもっとも簡便で優れていると判断した。【００１４】  係員が必要に応じて開錠の時に、長丸板等を本考案の持ち手に差し込み、同時に持ち手に内装された磁石および粘着材によってしっかりと固定され、係員が手を離しても持ち手が落ちることもなく、そのままキーと持ち手が一体化することで、回転により確実に開錠および施錠ができるものである。【００１５】  さらに詳しく本考案を説明すると、キーを回転させるための持ち手は手に持ちやすい形状であればよく、特に決まった形状を有しないが、その先端が、前記キーの後端の長丸板等に嵌合する長丸（楕円含む）もしくは多角形の内断面を有する凹部を形成していることを要する。この持ち手がキーと一体化して軸になり、この持ち手の開口部の奥側に磁石または粘着材またはそれらを併用したものを内装し、キー後端に固定された長丸板等を持ち手側に引き込み固定する構造を有する。なお、持ち手側開錠用器具の材質は金属、樹脂、木材またはそれらの複合材などから選ばれ、剛性が十分であれば材質を問わない。【００１６】  前記持ち手先端の内断面が長丸板等に合わせた長丸（楕円含む）または多角形であることで、前記キーの長丸板等と嵌合したときに空回りせず、手でひねったときに、手の力がキーに伝達されてキーを回すことができる。キー後端の長丸板等を持ち手側に引き込みやすくするために、長丸板等に滑らかな面取り加工を施すなどしておくと、はめ合いやすくなり、かつ、不正行為者がペンチなどではがそうとしても容易にはさむことができなくなる。持ち手側の長丸板等に合わせた開口凹部が磨滅、変形によって開錠用器具として使いにくくならないように、金属製が好ましいが、金属製でも焼き入れ加工して硬度を向上させられればより好ましい。【００１７】  前記持ち手の先端の開口凹部の奥に磁石を内装することによって、鉄またはニッケル、もしくはそれらの合金でつくられたキー側の長丸板等を、持ち手側に引き込み固定しやすくしている。この磁力によってキーと持ち手がしっかりと結合し、より使いやすくなる。磁力に補助的に合成樹脂の粘着力を利用する方法も可能であり、併用する場合には持ち手の凹部の底に粘着材を固定する。【００１８】  磁力の強さは、持ち手側を横にひねるなどすれば容易に外すことができる程度が望ましいが、具体的には、磁石や合わせて使う粘着材の強度は、手を離しても落下せずに持ち手が水平を保て、基板ボックスの外扉が不注意で閉じて当たっても落下しない程度の力が必要である。【００１９】  加えて、本考案の開錠用持ち手は、小型で紛失しやすいことと、不正行為者が持ち去るなどの行為に対応するため、持ち手側の適切な部分に通信機能を持たせたＩＣタグを埋設させて、中央管理室でその行方を追跡することができる機能を持たせれば、より一層、防犯効果が期待できる。
【考案の効果】
【００２０】  本考案によれば次に列挙するような効果が得られる。
遊技機用の出玉設定に関する確率変更回路基板を覆うケーシングに、外部からみだりに触れさせないようにキーが挿入されたままのシリンダー錠とすることによって、キー穴が塞がれるが、そのままでは、遊戯店の係員が遊技機を操作する業務に支障がでてしまう。しかし本考案の開錠用器具を用いれば、それを持った者だけが開錠でき、ケーシングを開くことが可能となる。【００２１】  従来、遊戯店の係員は遊技機の操作のために、遊戯機ごとに異なるキーを持っているので、キー束が雑多で重く、必要なキーの捜索に時間を要したが、本考案の場合、キーはシリンダーに常時差し込まれたままであるから、係員は開錠用持ち手を一本を所持するだけで、容易かつ迅速に遊技機の設定作業をおこなえ、さらに、不正行為を実施させにくくしているので、防犯上も有益である。【００２２】  つまり、開錠用器具を一本だけにするには、キーはシリンダー錠にあらかじめ差し込まれている必要があり、そのままでは不正行為を誘発してしまうので、キーの後端を切断し長丸（楕円含む）もしくは多角形の板を、その面がキーに対して直交するように公知の方法で強固に固定すれば、このキーをシリンダー錠のキー穴に差し込んだ場合、不正防止の蓋になる。【００２３】  遊戯店の係員が必要に応じて開錠するための開錠用器具はパイプ状の棒であり、その内断面が前記キーの蓋部分と嵌合するような形状を有し、嵌合させてパイプ状の軸を回せば開錠させることができる。さらにその蓋部分の形状は長丸（楕円含む）もしくは多角形の板であれば、当該軸を回す力が空回りせずに、しっかりとキーに伝達できる。【００２４】  キー側の蓋部分が鉄またはニッケル、もしくはそれらの合金でできていることで、持ち手側開錠用器具のパイプ状の軸内に磁石を内装することでキーを引きつけるか、強力な粘着材を内装することで、キーをシリンダー錠から引き抜くことも可能であり、そうでなければ作業中はケーシング側に開錠用器具を固着させたままにしておくことができる。また、容易に開錠用器具をひねるだけでキーと開錠用器具が分離できる。【００２５】  本考案の開錠用器具を一本だけ携帯するだけで済むため、紛失や盗難の危険が伴うことが否定できない。そこで必要に応じて管理者が、開錠用器具の所在を中央管理室で把握できるように通信機能を有した公知のＩＣタグを開錠用器具に埋設しておくこともできる。
【図面の簡単な説明】
【００２６】
【図１】は本考案器具のハンドル部の側面図である。
【図２】は本考案器具のシリンダー錠側にキーが収納されている断面図である。
【図３】は本考案器具の実施状態の全体図である。
【図４】は本考案器具の実施状態で「開錠状態」の断面図である。
【図５】は本考案器具の実施状態で「施錠状態」の断面図である。
【図６】は本考案器具がキー後端部の長丸板または多角形板とそれに噛み合わせるための凹部パターンの一例である。
【考案を実施するための形態】
【００２７】  本考案は開錠用器具の先端凹面リング（１）を、ケーシング側に内装された公知のシリンダー錠（１２）に差し込まれている本考案のキー（１０）に固定された長丸板等（１１）にはめ込んで、ハンドル（２）側の磁石（５）の磁力で、不足なら凹面ガイド（１）に粘着材を施して容易に脱落しない程度に密着させ、ハンドル（２）を回転させることで長丸板等（１１）が凹面ガイド（１）に嵌合して空回りを防ぎ、確実に施錠・開錠を行う。
また、ハンドル（２）と長丸板等（１１）を結合させたまま軸方向手前に引けば長丸板等（１１）とともにキー（１０）を引き抜くことも可能である。さらに、施錠または開錠の時は、キー穴に当該キー（１０）を差し込んでハンドル（２）と長丸板等（１１）を結合させたまま回せばよい。
【００２８】  長丸板等（１１）から開錠用器具のハンドル（２）を分離するさい、すこしの力でひねる程度で簡単にハンドル（２）をキー（１０）から分離させることができる。すなわち、店員等はこのハンドル（２）部を携帯するだけで、つつがなく作業ができる。なぜなら各遊技台の出玉確率変更装置のケーシングは常時、キーが差し込まれたままになっているからである。
【００２９】  さらに、不正を防止するために当該開錠用器具の行方を監視できるように、ハンドル（２）内にＩＣタグ（３）を埋設して通信により中央管理室で位置情報を把握することができる。
【符号の説明】
【００３０】１    リング
２    ハンドル
３    ＩＣタグ
４    （欠番）
５    磁石
６    （欠番）
７    （欠番）
８    （欠番）
９    （欠番）
１０  キー
１１  長丸もしくは多角形板
１２  シリンダー錠部分
【図１】
0003224294.tif 000003
【図２】
0003224294.tif 000004
【図３】
0003224294.tif 000005
【図４】
0003224294.tif 000006
【図５】
0003224294.tif 000007
【図６】
0003224294.tif 000008
【手続補正書】
【提出日】令和1年9月20日(2019.9.20)
【手続補正１】
【補正対象書類名】実用新案登録請求の範囲
【補正対象項目名】全文
【補正方法】変更
【補正の内容】
【実用新案登録請求の範囲】
【請求項１】
遊技機用の出玉設定に関する確率変更回路基板を覆うケーシングに、外部からみだりに触れさせないようにキーが挿入されたままのシリンダー錠を、遊戯店店員が、外部から前記キーを回転させるための持ち手を結合して開錠するための開錠用器具。
【請求項２】
シリンダー錠にあらかじめ対応するキーを挿入させておいて、キー穴を外部から塞ぐように、鉄またはニッケル及びそれらの合金製の楕円板または多角形板の蓋をキーの後端に備え、不正防止加工を施したキーを用いることを特徴とする請求項１の開錠用器具。
【請求項３】
前記キーを回転させて開錠するために、前記楕円板または多角形板の外周に嵌合する楕円または多角形の内断面を持つパイプ状の棒を持ち手とすることを特徴とする請求項１または請求項２に記載の開錠用器具。
【請求項４】
前記楕円板または多角形板と前記開錠用器具を、より完全に結合させるために開錠用器具中に磁石または粘着材または、それらを併用して内装しておき、その磁力および粘着力が、手を放しても開錠用器具を水平または垂下状態で落下しない程度に保つことができ、かつ、シリンダー錠の軸方向に引けば、シリンダー錠からキーを引き抜ける程度の吸着力を発揮するような磁石または粘着材を内装することを特徴とする請求項１ないし請求項３のいずれか一項に記載の開錠用器具。
【請求項５】
遊戯店店員が前記開錠用器具を携帯する際、管理者が、その器具の所在を中央管理室で把握できるように通信機能を有したＩＣタグを前記開錠用器具に埋設してなる請求項１ないし請求項４のいずれか一項に記載の開錠用器具。